【手続補正書】
【提出日】平成18年8月30日(2006.8.30)
【手続補正１】
【補正対象書類名】特許請求の範囲
【補正対象項目名】請求項３
【補正方法】変更
【補正の内容】
【請求項３】
拡散符号化された通信用パルス光信号を送信する光送信装置と、前記光送信装置から送信される前記通信用パルス光信号を受信する光受信装置と、を有する光通信システムであって、
前記光受信装置は、
前記光送信装置から送信される前記通信用パルス光信号を２以上に分岐させ前記通信用パルス光信号のパルス幅を長さに換算した値以上の光路長差を設けて結合させて所定の光強度で出力する妨害光信号除去器と、
前記妨害光信号除去器から出力される前記通信用パルス光信号を検出する光検出器と、
を備えることを特徴とする光通信システム。
【手続補正２】
【補正対象書類名】特許請求の範囲
【補正対象項目名】請求項６
【補正方法】変更
【補正の内容】
【請求項６】
拡散符号化された通信用パルス光信号を送信する第１光送信装置と、前記通信用パルス光信号のパルス幅より光信号の発光が継続する時間が長い光信号の別の通信用光信号を送信する第２光送信装置と、前記第１光送信装置と前記第２光送信装置とを接続する光合波器と、前記第１光送信装置から前記光合波器を介して送信される前記通信用パルス光信号を受信する第１光受信装置と、前記第２光送信装置から前記光合波器を介して送信される前記別の通信用光信号を受信する第２光受信装置と、前記第１光受信装置と前記第２光受信装置とを接続する光分波器と、を有する光多重通信システムであって、
前記第１光受信装置は、
前記第１光受信装置の受信するパルス光信号を２以上の光信号に分岐し前記通信用パルス光信号のパルス幅を長さに換算した値以上且つ前記別の通信用光信号の発光が継続する時間を長さに換算した値以下の光路長差を設けて結合させて所定の光強度で出力する妨害光信号除去器と、
前記妨害光信号除去器から出力される前記パルス光信号を検出する光検出器と、
を備えることを特徴とする光多重通信システム。
【手続補正３】
【補正対象書類名】特許請求の範囲
【補正対象項目名】請求項９
【補正方法】変更
【補正の内容】
【請求項９】
拡散符号化された通信用パルス光信号を送信する第１光送信装置と、前記通信用パルス光信号のパルス幅より光信号の発光が継続する時間が長い光信号の別の通信用光信号を送信する第２光送信装置と、前記第１光送信装置と前記第２光送信装置とを接続する光合波器と、前記第１光送信装置から前記光合波器を介して送信される前記通信用パルス光信号を受信する第１光受信装置と、前記第１光受信装置に接続され前記第２光送信装置から前記光合波器及び前記第１光受信装置を介して送信される前記別の通信用光信号を受信する第２光受信装置と、を有する光多重通信システムであって、
前記第１光受信装置は、
前記第１光受信装置の受信するパルス光信号を２以上の光信号に分岐した分岐光信号に前記通信用パルス光信号のパルス幅を長さに換算した値以上且つ前記別の通信用光信号の発光が継続する時間を長さに換算した値以下の光路長差を設け、該光路長差が設けられた前記分岐光信号を結合して分岐し、一方を所定の光強度で前記第１光受信装置の内部に出力し、他方を前記第２光受信装置に向けて出力する妨害光信号除去器と、
前記妨害光信号除去器から前記第１光受信装置の内部に出力される前記パルス光信号を検出する光検出器と、
を備えることを特徴とする光多重通信システム。
【手続補正４】
【補正対象書類名】特許請求の範囲
【補正対象項目名】請求項１５
【補正方法】変更
【補正の内容】
【請求項１５】
拡散符号化された通信用パルス光信号及び該通信用パルス光信号のパルス幅より光信号の発光が継続する時間が長い光信号の別の通信用光信号を受信する光受信装置であって、
前記光受信装置の受信するパルス光信号を２以上の光信号に分岐した分岐光信号に前記通信用パルス光信号のパルス幅を長さに換算した値以上且つ前記別の通信用光信号の発光が継続する時間を長さに換算した値以下の光路長差を設け、該光路長差が設けられた前記分岐光信号を結合して分岐し、一方を結合させて所定の光強度で前記光受信装置の内部に出力し、且つ他方を前記光受信装置の外部に出力する妨害光信号除去器と、
前記妨害光信号除去器から前記光受信装置の内部に出力される前記パルス光信号を検出する光検出器と、
を備えることを特徴とする光受信装置。
【手続補正５】
【補正対象書類名】特許請求の範囲
【補正対象項目名】請求項１８
【補正方法】変更
【補正の内容】
【請求項１８】
拡散符号化された通信用パルス光信号を光送信装置と光受信装置との間で送受信する光通信方法であって、
前記光受信装置は、前記光送信装置から送信された前記通信用パルス光信号を２以上に分岐させ前記通信用パルス光信号のパルス幅を長さに換算した値以上の光路長差を設けて結合させて所定の光強度とした後に検出することを特徴とする光通信方法。
【手続補正６】
【補正対象書類名】特許請求の範囲
【補正対象項目名】請求項２１
【補正方法】変更
【補正の内容】
【請求項２１】
拡散符号化された通信用パルス光信号を光送信装置と光受信装置との間で光伝送路を介して送受信し、前記通信用光信号のパルス幅より光信号の発光が継続する時間が長い光信号の別の通信用光信号を前記光伝送路を介して別の光送信装置と別の光受信装置との間で送受信する光多重通信方法であって、
前記光受信装置は、前記光受信装置の受信するパルス光信号を２以上のパルス光信号に分岐し前記通信用パルス光信号のパルス幅を長さに換算した値以上且つ前記別の通信用光信号の発光が継続する時間を長さに換算した値以下の光路長差を設けて結合させて所定の光強度とした後に検出することを特徴とする光多重通信方法。
【手続補正７】
【補正対象書類名】特許請求の範囲
【補正対象項目名】請求項２４
【補正方法】変更
【補正の内容】
【請求項２４】
拡散符号化された通信用パルス光信号を光送信装置と光受信装置との間で光伝送路を介して送受信し、前記通信用パルス光信号のパルス幅より光信号の発光が継続する時間が長い光信号の別の通信用光信号を前記光伝送路を介して別の光送信装置と別の光受信装置との間で送受信する光多重通信方法であって、
前記光受信装置は、前記光受信装置の受信するパルス光信号を２以上のパルス光信号に分岐し、分岐した分岐光信号に前記通信用パルス光信号のパルス幅を長さに換算した値以上且つ前記別の通信用光信号の発光が継続する時間を長さに換算した値以下の光路長差を設け、該光路長差が設けられた前記分岐光信号を結合して分岐し、一方を所定の光強度にした後に検出すると共に他方を前記別の光受信装置に向けて出力することを特徴とする光多重通信方法。
【手続補正８】
【補正対象書類名】明細書
【補正対象項目名】００１０
【補正方法】変更
【補正の内容】
【００１０】
また、本発明に係る光通信システムは、拡散符号化された通信用パルス光信号を送信する光送信装置と、前記光送信装置から送信される前記通信用パルス光信号を受信する光受信装置と、を有する光通信システムであって、前記光受信装置は、前記光送信装置から送信される前記通信用パルス光信号を２以上に分岐させ前記通信用パルス光信号のパルス幅を長さに換算した値以上の光路長差を設けて結合させて所定の光強度で出力する妨害光信号除去器と、前記妨害光信号除去器から出力される前記通信用パルス光信号を検出する光検出器と、を備えることを特徴とする。
【手続補正９】
【補正対象書類名】明細書
【補正対象項目名】００１３
【補正方法】変更
【補正の内容】
【００１３】
また、本発明に係る光通多重信システムは、拡散符号化された通信用パルス光信号を送信する第１光送信装置と、前記通信用パルス光信号のパルス幅より光信号の発光が継続する時間が長い光信号の別の通信用光信号を送信する第２光送信装置と、前記第１光送信装置と前記第２光送信装置とを接続する光合波器と、前記第１光送信装置から前記光合波器を介して送信される前記通信用パルス光信号を受信する第１光受信装置と、前記第２光送信装置から前記光合波器を介して送信される前記別の通信用光信号を受信する第２光受信装置と、前記第１光受信装置と前記第２光受信装置とを接続する光分波器と、を有する光多重通信システムであって、前記第１光受信装置は、前記第１光受信装置の受信するパルス光信号を２以上の光信号に分岐し前記通信用パルス光信号のパルス幅を長さに換算した値以上且つ前記別の通信用光信号の発光が継続する時間を長さに換算した値以下の光路長差を設けて結合させて所定の光強度で出力する妨害光信号除去器と、前記妨害光信号除去器から出力される前記パルス光信号を検出する光検出器と、を備えることを特徴とする。
【手続補正１０】
【補正対象書類名】明細書
【補正対象項目名】００１６
【補正方法】変更
【補正の内容】
【００１６】
また、本発明に係る光通多重信システムは、拡散符号化された通信用パルス光信号を送信する第１光送信装置と、前記通信用パルス光信号のパルス幅より光信号の発光が継続する時間が長い光信号の別の通信用光信号を送信する第２光送信装置と、前記第１光送信装置と前記第２光送信装置とを接続する光合波器と、前記第１光送信装置から前記光合波器を介して送信される前記通信用パルス光信号を受信する第１光受信装置と、前記第１光受信装置に接続され前記第２光送信装置から前記光合波器及び前記第１光受信装置を介して送信される前記別の通信用光信号を受信する第２光受信装置と、を有する光多重通信システムであって、前記第１光受信装置は、前記第１光受信装置の受信するパルス光信号を２以上の光信号に分岐した分岐光信号に前記通信用パルス光信号のパルス幅を長さに換算した値以上且つ前記別の通信用光信号の発光が継続する時間を長さに換算した値以下の光路長差を設け、該光路長差が設けられた前記分岐光信号を結合して分岐し、一方を所定の光強度で前記第１光受信装置の内部に出力し、他方を前記第２光受信装置に向けて出力する妨害光信号除去器と、前記妨害光信号除去器から前記第１光受信装置の内部に出力される前記パルス光信号を検出する光検出器と、を備えることを特徴とする。
【手続補正１１】
【補正対象書類名】明細書
【補正対象項目名】００２２
【補正方法】変更
【補正の内容】
【００２２】
また、本発明に係る光受信装置は、拡散符号化された通信用パルス光信号及び該通信用パルス光信号のパルス幅より光信号の発光が継続する時間が長い光信号の別の通信用光信号を受信する光受信装置であって、前記光受信装置の受信するパルス光信号を２以上の光信号に分岐した分岐光信号に前記通信用パルス光信号のパルス幅を長さに換算した値以上且つ前記別の通信用光信号の発光が継続する時間を長さに換算した値以下の光路長差を設け、該光路長差が設けられた前記分岐光信号を結合して分岐し、一方を結合させて所定の光強度で前記光受信装置の内部に出力し、且つ他方を前記光受信装置の外部に出力する妨害光信号除去器と、前記妨害光信号除去器から前記光受信装置の内部に出力される前記パルス光信号を検出する光検出器と、を備えることを特徴とする。
【手続補正１２】
【補正対象書類名】明細書
【補正対象項目名】００２５
【補正方法】変更
【補正の内容】
【００２５】
また、本発明に係る光通信方法は、拡散符号化された通信用パルス光信号を光送信装置と光受信装置との間で送受信する光通信方法であって、前記光受信装置は、前記光送信装置から送信された前記通信用パルス光信号を２以上に分岐させ前記通信用パルス光信号のパルス幅を長さに換算した値以上の光路長差を設けて結合させて所定の光強度とした後に検出することを特徴とする。
【手続補正１３】
【補正対象書類名】明細書
【補正対象項目名】００２８
【補正方法】変更
【補正の内容】
【００２８】
また、本発明に係る光多重通信方法は、拡散符号化された通信用パルス光信号を光送信装置と光受信装置との間で光伝送路を介して送受信し、前記通信用光信号のパルス幅より光信号の発光が継続する時間が長い光信号の別の通信用光信号を前記光伝送路を介して別の光送信装置と別の光受信装置との間で送受信する光多重通信方法であって、前記光受信装置は、前記光受信装置の受信するパルス光信号を２以上のパルス光信号に分岐し前記通信用パルス光信号のパルス幅を長さに換算した値以上且つ前記別の通信用光信号の発光が継続する時間を長さに換算した値以下の光路長差を設けて結合させて所定の光強度とした後に検出することを特徴とする。
【手続補正１４】
【補正対象書類名】明細書
【補正対象項目名】００３１
【補正方法】変更
【補正の内容】
【００３１】
また、本発明に係る光多重通信方法は、拡散符号化された通信用パルス光信号を光送信装置と光受信装置との間で光伝送路を介して送受信し、前記通信用パルス光信号のパルス幅より光信号の発光が継続する時間が長い光信号の別の通信用光信号を前記光伝送路を介して別の光送信装置と別の光受信装置との間で送受信する光多重通信方法であって、前記光受信装置は、前記光受信装置の受信するパルス光信号を２以上のパルス光信号に分岐し、分岐した分岐光信号に前記通信用パルス光信号のパルス幅を長さに換算した値以上且つ前記別の通信用光信号の発光が継続する時間を長さに換算した値以下の光路長差を設け、該光路長差が設けられた前記分岐光信号を結合して分岐し、一方を所定の光強度にした後に検出すると共に他方を前記別の光受信装置に向けて出力することを特徴とする。
【手続補正１５】
【補正対象書類名】明細書
【補正対象項目名】００６３
【補正方法】変更
【補正の内容】
【００６３】
以上説明したように、本実施形態に係る光通信システム１００では、光送信装置１０と光受信装置２０との間で光周波数帯域が狭いか或いは可干渉長が長く光強度の大きい妨害光信号７０ｇや光信号の発光が継続する時間が長い光強度の大きい妨害光信号７０ｇが結合しても、光受信装置２０において妨害光信号７０ｇを除去できるため、高精度の光通信を実現することができる。また、本実施形態に係る光通信システム１００では、光受信装置２０にその特徴を有しており、本実施形態に係る光受信装置２０では、光周波数帯域が狭いか或いは可干渉長が長く光強度の大きい妨害光信号７０ｇや光信号の発光が継続する時間が長い光強度の大きい妨害光信号７０ｇが結合した通信用光信号７０ｄを受信しても、妨害光信号７０ｇを除去できるため、高精度の光受信を実現することができる。
【手続補正１６】
【補正対象書類名】明細書
【補正対象項目名】００７０
【補正方法】変更
【補正の内容】
【００７０】
以上説明したように、本実施形態に係る光通信方法では、光送信装置１０と光受信装置２０との間で光周波数帯域が狭いか或いは可干渉長が長く光強度の大きい妨害光信号７０ｇや光信号の発光が継続する時間が長い光強度の大きい妨害光信号７０ｇが結合しても、光受信装置２０において妨害光信号７０ｇを除去できるため、高精度の光通信を実現することができる。
【手続補正１７】
【補正対象書類名】明細書
【補正対象項目名】００７９
【補正方法】変更
【補正の内容】
【００７９】
また、第１、２光送信装置１０、３０が送信する通信用光信号７０ｃ、７０ｊがパルス光信号である場合は、光路長差を第１光送信装置１０が送信する通信用光信号７０ｃとしての通信用パルス光信号のパルス幅を長さに換算した値以上且つ第２光送信装置３０が送信する通信用光信号７０ｊとしての通信用パルス光信号の発光が継続する時間を長さに換算した値以下とする。なお、第２光送信装置３０が送信する通信用光信号７０ｊは、ＲＺ（Ｒｅｔｕｒｎ−Ｔｏ−Ｚｅｒｏ）信号又はＮＲＺ（Ｎｏｎ−Ｒｅｔｕｒｎ−Ｔｏ−Ｚｅｒｏ）信号いずれの場合であってもよい。
【手続補正１８】
【補正対象書類名】明細書
【補正対象項目名】００８０
【補正方法】変更
【補正の内容】
【００８０】
第１光受信装置２０の妨害光信号除去器２１が第２光送信装置３０から送信される通信用光信号７０ｊを除去することができるのは、第１実施形態で説明したように、第２光送信装置３０から送信される通信用光信号７０ｊの光周波数帯域幅が第１光送信装置１０から送信される通信用光信号７０ｃの光周波数帯域幅より狭いか、第２光送信装置３０から送信される通信用光信号７０ｊの可干渉長が第１光送信装置１０から送信される通信用光信号７０ｃの可干渉長より長いためである。また、光ＣＤＭ方式では、第１光送信装置１０から送信される通信用光信号７０ｃを通信用パルス光信号とする場合には、通信用光信号７０ｃが拡散符号により符号化されているために、通信用光信号７０ｃのパルス幅が第２光送信装置３０から送信される通信用パルス光信号の発光が継続する時間より小さいためである。
【手続補正１９】
【補正対象書類名】明細書
【補正対象項目名】００８９
【補正方法】変更
【補正の内容】
【００８９】
また、第１、２光送信装置１０、３０が送信する通信用光信号７０ｃ、７０ｊがパルス光信号である場合は、第１光送信装置１０が送信する通信用光信号７０ｃとしての通信用パルス光信号のパルス幅を長さに換算した値以上且つ第２光送信装置３０が送信する通信用光信号７０ｊとしての通信用パルス光信号の発光が継続する時間を長さに換算した値以下とする。光路長差を上記いずれかの長さとすることにより、妨害光信号除去器２１を通過した後の通信用光信号７０ｅの光強度を確保しながら、妨害光信号である通信用光信号７０ｊを効率的に除去することができる。